(57)【要約】【課題】塗料供給路に残る未使用の導電性塗料量をより少なくする。【解決手段】中間貯留槽１４に、シリンダ４０と、第１ピストン５１及び第２ピストン５２と、この第２ピストン５２に取付けられたピストンロッド５８と、このピストンロッド５８を駆動する駆動部６１と、第１ピストン５１のシリンダ端部側に設けられた下室５４に導電性塗料６５、第１ピストン５１の第２ピストン５２側に設けられた上室５３に水６６を充填した状態で駆動部６１にて第２ピストン５２及び水６６を介して第１ピストン５１を移動させて下室５４から導電性塗料６５を塗装ガンに供給するときに下室５４内の導電性塗料６５が所定の容量になった時点で上室５３内の水６６を下室５４内に流す弁機構６３とを備え、下室５４内から供給される水６６で導電性塗料６５を塗装ガン側に押し出す。【選択図】図３
2008168233.tif 000002
【特許請求の範囲】
【請求項１】
塗料供給部から塗装ガンに導電性塗料を供給する塗料供給路に、前記導電性塗料を一旦貯留する貯留部が設けられた静電塗装装置において、
前記貯留部は、シリンダと、このシリンダ内に移動自在に挿入された第１ピストン及び第２ピストンと、この第２ピストンに取付けられたピストンロッドと、このピストンロッドを駆動する駆動部と、第１ピストンのシリンダ端部側に設けられた第１室に導電性塗料、第１ピストンの第２ピストン側に設けられた第２室に水を充填した状態で駆動部にて第２ピストン及び水を介して第１ピストンを移動させて第１室から導電性塗料を塗装ガンに供給するときに第１室内の導電性塗料が所定の容量になった時点で第２室内の水を第１室内に流す弁機構とを備え、
第１室内から供給される水で導電性塗料を押し出すことを特徴とする静電塗装装置。
【発明の詳細な説明】
【技術分野】
【０００１】
本発明は、静電塗装装置の改良に関するものである。
【背景技術】
【０００２】
従来の静電塗装装置として、塗料供給部から塗装ガンに導電性塗料を供給する塗料供給路に導電性塗料を一旦貯留する貯留部が設けられ、導電性塗料の色替え時に塗料供給路を洗浄するものが知られている（例えば、特許文献１参照。）。
【特許文献１】特開２００４−２７５９７６公報
【０００３】
特許文献１の図１を以下の図７で説明する。なお、符号は振り直した。
図７は従来の静電塗装装置の説明図である。
静電塗装装置１００は、乾燥用エアＡ、水Ｗ及び洗浄液Ｓの供給を制御する第１洗浄弁１０１を備え、色の異なる複数の導電性塗料を供給する図示せぬ供給部に接続されてそれらの導電性塗料の供給を制御する塗料弁１０２，１０３，１０４とから構成された色替弁機構１０５と、この色替弁機構１０５を後で詳述する塗装ガン側に対して電気的に絶縁するブロック弁機構１０６と、このブロック弁機構１０６に接続されて導電性塗料を一旦貯める中間貯留槽１０７と、この中間貯留部１０７に接続された塗装ガン１０８とからなる。
【０００４】
ブロック弁機構１０６は、色替弁機構１０５に供給路１１１を介して接続された切換弁１１２と、この切換弁１１２に樹脂製電気絶縁性管路としての供給路１１３を介して接続された切換弁１１４とからなる。なお、１１６は供給路１１１に第１ダンプ弁１１７を介して接続された第１排水路、１１８は切換弁１１２に接続されてエアＡ、水Ｗ及び洗浄液Ｓの供給を制御する第２洗浄弁、１２１は切換弁１１４に一方向弁１１９を介して接続された第２排出路である。
【０００５】
切換弁１１２は、色替弁機構１０５側と第２洗浄弁１１８側とを切り換えるものである。
切換弁１１４は、供給路１２３を介して接続された中間貯留槽１０７側と、第２排水路１２１側とを切り換えるものである。
【０００６】
中間貯留槽１０７は、シリンダ１２５と、このシリンダ１２５内に移動自在に挿入されたピストン１２６と、このピストン１２６に取付けられたロッド１２７と、シリンダ１２５及びピストン１２６で形成されたシリンダ室１２８と、シリンダ１２５の端部に設けられてシリンダ室１２８に連通する注入口１３１及び吐出口１３２とからなる。
【０００７】
ロッド１２７は、サーボモータ１３４にボールねじ手段１３５を介して連結され、サーボモータ１３４を駆動することで、ボールねじ手段１３５を介してロッド１２７及びピストン１２６がシリンダ軸方向（図のＡ方向）に進退動する。
【０００８】
塗装ガン１０８は、中間貯留槽１０７の吐出口１３２に送出路１３７を介して接続され、この送出路１３７に接続された第２ダンプ弁１４１及びトリガ弁１４２とを備え、図示せぬ高電圧印加手段に接続されている。なお、１０８ａは塗装ガン１０８の噴出口であり、送出路１３７の端部を構成する部分である。
【０００９】
第２ダンプ弁１４１は、洗浄時に発生する導電性塗料及び洗浄液を含む廃液を送出路１３７の外部に排出するための第３排出路１４４に接続されている。
第３排出路１４４は、エアＡ、水Ｗ及び洗浄液Ｓの供給を制御する第３洗浄弁１４６に一方向弁１４７を介して接続されている。
【００１０】
トリガ弁１４２は、導電性塗料の塗装ガン１０８からの噴出を制御するものである。
上記した供給路１１１，１１３，１２３、中間貯留槽１０７及び送出路１３７は、塗料供給部から塗装ガン１０８に至る塗料供給路１４８を構成する部分である。
【００１１】
以上に述べた静電塗装装置１００の作用を次に説明する。
静電塗装を行うには、まず、ブロック弁機構１０６の切換弁１１２，１１４を開けて供給路１１１，１１３，１２３を接続し、例えば、色替弁機構１０５の塗料弁１０２を開け、中間貯留槽１０７のサーボモータ１３４を駆動して、ピストン１２６をＡ１方向に移動させる。
【００１２】
この結果、塗料弁１０２から所定の色の導電性塗料が供給路１１１，１１３，１２３を通って中間貯留槽１０７のシリンダ室１２８に至り、充填される。このとき、第２ダンプ弁１４１及びトリガ弁１４２は閉じられている。
【００１３】
次に、切換弁１１４を閉じ、トリガ弁１４２を開け、サーボモータ１３４を駆動させてピストン１２６をＡ２方向に移動させることにより、シリンダ室１２８から送出路１３７に導電性塗料が圧送され、トリガ弁１４２を通って塗装ガン１０８から導電性塗料が噴出するとともに導電性塗料に高電圧が印加されて図示せぬ被塗装物に静電塗装が行われる。
【発明の開示】
【発明が解決しようとする課題】
【００１４】
上記した静電塗装に後に、異なる色の導電性塗料で静電塗装を行う場合は、供給路１１１，１１３，１２３を接続し、第２ダンプ弁１４１及びトリガ弁１４２を開けた状態で、第１洗浄弁１０１を開けて洗浄液を、供給路１１１，１１３，１２３、中間貯留槽１０７、送出路１３７、第３排出路１４４に流すとともに塗装ガン１０８から噴出させて塗装供給路の洗浄を行う。
【００１５】
このときに、塗料供給経路を部分的に洗浄することは可能であるが、塗料供給経路に残っている未使用の導電性塗料は廃棄されることになり、不経済である。塗料供給路に残る導電性塗料の量をより少なくすることが望まれる。
【００１６】
本発明の目的は、静電塗装装置において経済性の観点から塗料供給路に残る未使用の導電性塗料量をより少なくすることにある。
【課題を解決するための手段】
【００１７】
請求項１に係る発明は、塗料供給部から塗装ガンに導電性塗料を供給する塗料供給路に、導電性塗料を一旦貯留する貯留部が設けられた静電塗装装置において、貯留部に、シリンダと、このシリンダ内に移動自在に挿入された第１ピストン及び第２ピストンと、この第２ピストンに取付けられたピストンロッドと、このピストンロッドを駆動する駆動部と、第１ピストンのシリンダ端部側に設けられた第１室に導電性塗料、第１ピストンの第２ピストン側に設けられた第２室に水を充填した状態で駆動部にて第２ピストン及び水を介して第１ピストンを移動させて第１室から導電性塗料を塗装ガンに供給するときに第１室内の導電性塗料が所定の容量になった時点で第２室内の水を第１室内に流す弁機構とを備え、第１室内から供給される水で導電性塗料を押し出すことを特徴とする。
【００１８】
作用として、静電塗装するには、第１室に導電性塗料を充填し、第２室に水を充填した状態で、駆動部によってピストンロッド、第２ピストン及び水を介して第１室内の導電性塗料に圧力を作用させ、導電性塗料を第１室から塗装ガンに供給する。
第１室内の導電性塗料の残量が所定の容量になった時点で、弁機構を開けて圧力の高まっている第２室内の水を第１室に流し、第１室内の水で導電性塗料を塗装ガン側に押し出し、導電性塗料を塗装ガンから噴出させる。
【００１９】
塗装終了時点では、第１室内から塗装ガンの噴出口までの塗料供給路にほとんど水を満たすことが可能であるため、導電性塗料は水によって置換されて塗料供給路に残る量は少なくなり、洗浄時に廃棄される静電塗料量は少なくなる。
【発明の効果】
【００２０】
請求項１に係る発明では、貯留部に、シリンダと、このシリンダ内に移動自在に挿入された第１ピストン及び第２ピストンと、この第２ピストンに取付けられたピストンロッドと、このピストンロッドを駆動する駆動部と、第１ピストンのシリンダ端部側に設けられた第１室に導電性塗料、第１ピストンの第２ピストン側に設けられた第２室に水を充填した状態で駆動部にて第２ピストン及び水を介して第１ピストンを移動させて第１室から導電性塗料を塗装ガンに供給するときに第１室内の導電性塗料が所定の容量になった時点で第２室内の水を第１室内に流す弁機構とを備え、第１室内から供給される水で導電性塗料を押し出すので、導電性塗料の色替えを行うために塗料供給経路を洗浄する場合に、廃棄される導電性塗料を少なくすることができ、また、洗浄時間を短縮することができて、経済性を高めることができる。
【発明を実施するための最良の形態】
【００２１】
本発明を実施するための最良の形態を添付図に基づいて以下に説明する。なお、図面は符号の向きに見るものとする。
図１は本発明に係る静電塗装装置の説明図であり、静電塗装装置１０は、複数の色の導電性塗料の供給源となる塗料供給部１１と、この塗料供給部１１に供給路１２及び切換弁１３を介して接続された中間貯留槽１４と、この中間貯留槽１４に切換弁１３及び供給路１７を介して接続された塗装ガン１８と、中間貯留槽１４に水を供給するために供給路１９を介して接続された水供給部２１と、中間貯留槽１４にエアを供給するために切換弁２２及び供給路２３を介して接続されたエア供給部２４と、中間貯留槽１４内をエアで洗浄したときの廃液を貯めるために切換弁１３に流路２６を介して接続された廃液タンク２７と、中間貯留槽１４から洗浄の廃液を排出するために中間貯留槽１４と流路２６との間に設けられた切換弁３１及び流路３２と、供給路１２を洗浄液で洗浄するために供給路１２の端部に供給路３３を介して接続された洗浄液供給部３４と、静電塗装時、導電性塗料に高電圧を印加したときに、塗装ガン１８側と、塗料供給部１１、水供給部２１、エア供給部２４及び洗浄液供給部３４の側とを電気的に遮断するブロック弁機構（不図示）とからなる。
上記の供給路１２、切換弁１３、中間貯留槽１４、供給路１７は、塗料供給部１１から塗装ガン１８に導電性塗料を供給する塗料供給路３６を形成している。
【００２２】
図２は本発明に係る中間貯留槽の断面図であり、中間貯留槽１４は、シリンダ４０と、このシリンダ４０の下端に取付けられて各切換弁２２，１３，３１に接続された配管４１〜４３と、シリンダ４０の底に取付けられたピン４４と、シリンダ４０内に移動自在に挿入された第１ピストン５１及び第２ピストン５２と、第１ピストン５１の上方に形成された上室５３から第１ピストン５１の下方に形成された下室５４へ水を供給するために第１ピストン５１に設けられた第１水供給弁５６と、上室５３に水を供給するために第２ピストン５２に設けられた第２水供給弁５７と、第２ピストン５２に取付けられたピストンロッド５８と、このピストンロッド５８を駆動するためにシリンダ４０の上端部に取付けられた駆動部６１とからなる。
【００２３】
上記した第１水供給弁５６は、ピン４４とで弁機構６３を構成し、第１ピストン５１の下面に開けられた穴部５１ａの開口を塞ぐように取付けられた弁座５６ｂと、この弁座５６ｂに開けられた水通路５６ｃを塞ぐために穴部５１ａ内に収納された弁体としてのボール５６ｄと、このボール５６ｄを水通路５６ｃの縁に押し当てるために穴部５１ａの上端部とボール５６ｄとの間に配置された圧縮コイルばね５６ｅとからなる。なお、５１ｂは穴部５１ａの上端部から第１ピストン５１の上面に貫通する水通路である。
【００２４】
弁機構６３の作用としては、下室５４に導電性塗料を満たし、上室５３に水を満たした状態で、駆動部６１を作動させてピストンロッド５８を介して第２ピストン５２を下降させ、更に、水を介して第１ピストン５１を下降させて下室５４から導電性塗料を塗装ガン１８（図１参照）に供給するときに、下室５４内の導電性塗料が所定の容量になった時点でピン４４で第１水供給弁５６を開けて上室５３内の水を下室５４に流す。
【００２５】
以上に述べた静電塗装装置１０の作用を図３〜図５で説明する。
図３（ａ）〜（ｃ）は本発明に係る静電塗装装置の作用を示す第１作用図である。
（ａ）において、塗料供給部１１（図１参照）から供給された導電性塗料６５を下室５４に満たし、水供給部２１（図１参照）から供給された水６６を上室５３に満たした状態から、切換弁１３を切り換えて下室５４に供給路１７を接続し、駆動部６１を作動させ、ピストンロッド５８を下方に伸ばすことで、第２ピストン５２、水６６及び第１ピストン５１を介して導電性塗料６５を供給路１７を介して塗装ガン１８（図１参照）に供給して、塗装ガン１８（図１参照）から被塗装物に噴出させて静電塗装を行う。
【００２６】
（ｂ）は、第１ピストン５１が、水６６及び第２ピストン５２と共にシリンダ４０内を最も下降した状態を示す。このとき、シリンダ４０の底と第１ピストン５１との間には隙間６８が有り、この隙間６８には導電性塗料６５がわずかに残っている。
このとき、ピン４４に第１水供給弁５６のボール５６ｄが当たって第１水供給弁５６が開き、上室５３と下室５４とが連通している。
【００２７】
（ｃ）において、駆動部６１にてピストンロッド５８を介して第２ピストン５２を更に下降させると、上室５３内の水６６が下室５４を通って供給路１７内に流れ込み、供給路１７内の導電性塗料を押し出す。これにより、供給路１７内の導電性塗料は塗装ガン１８（図１参照）に至り、噴出する。
【００２８】
図４（ａ），（ｂ）は本発明に係る静電塗装装置の作用を示す第２作用図である。
（ａ）は供給路１７内を、水６６が導電性塗料５５を押し出し始めた状態を示している。塗装ガン１８の噴出口１８ａからは導電性塗料６５が噴出している。
【００２９】
（ｂ）は静電塗装を終了した状態を示している。水６６が供給路１７内の導電性塗料６５を殆ど押し出したため、導電性塗料６５は、噴出口１８ａの近傍にわずかに残っている。このように噴出口１８ａの近傍に導電性塗料６５がわずかに残った時点で静電塗装を終了することで、供給路１７を洗浄するときに廃棄する導電性塗料６５の量が少なくなり、また、水６６は噴出口１８ａから噴出しない。
【００３０】
図５（ａ），（ｂ）は本発明に係る静電塗装装置の作用を示す第３作用図である。
（ａ）は、第２ピストン５２が第１ピストン５１に当たるまで下降した状態であり、ここで、水６６での導電性塗料６５の押し出しが終了し、静電塗装が終了する。
【００３１】
上記した導電性塗料と異なる色の導電性塗料を次に使用する場合には、下室５４の隙間６８を洗浄するために、切換弁２２を開き、エア供給部２４（図１参照）から供給路２３を介して隙間６８にエアを供給する。このエアは隙間６８を洗浄した後の廃液は、切換弁１３を介して流路２６に流れ、また、切換弁３１を介して流路３２に流れ、廃液タンク２７（図１参照）に溜まる。
【００３２】
（ｂ）は下室５４の隙間６８へのエアの供給によって隙間６８が洗浄された状態を示している。下室５４の洗浄後、図１において、洗浄液供給部３４から供給路３３を介して供給路１２内に洗浄液を流して洗浄し、洗浄した後の廃液を廃液タンク２７に流す。また、図５（ｂ）において、切換弁１３を切り換えて供給路１２と下室５４とを接続しておく。
そして、第２水供給弁５７を開き、駆動部６１を作動させて第２ピストン５２を上昇させる。
【００３３】
図６（ａ），（ｂ）は本発明に係る静電塗装装置の作用を示す第４作用図である。
（ａ）において、第２ピストン５２を上昇させると、これと共に第１ピストン５１も上昇し、下室５４の圧力低下に伴って塗料供給部１１（図１参照）から下室５４に導電性塗料６５が供給される。
【００３４】
（ｂ）において、過失５４に所定容量の導電性塗料６５を充填した後、第２水供給弁５７を開けて第２ピストン５２を更に上昇させ、水供給部２１（図１参照）から供給路１９を介して上室５３に水６６を供給する。
そして、静電塗装を行うには、以上の図３〜図６の工程を実施する。
【００３５】
以上の図１、図３及び図４で示したように、塗料供給部１１から塗装ガン１８に導電性塗料６５を供給する塗料供給路３６に、導電性塗料６５を一旦貯留する貯留部としての中間貯留槽１４が設けられた静電塗装装置１０において、中間貯留槽１４に、シリンダ４０と、このシリンダ４０内に移動自在に挿入された第１ピストン５１及び第２ピストン５２と、この第２ピストン５２に取付けられたピストンロッド５８と、このピストンロッド５８を駆動する駆動部６１と、第１ピストン５１のシリンダ端部側に設けられた第１室としての下室５４に導電性塗料６５、第１ピストン５１の第２ピストン５２側に設けられた第２室としての上室５３に水６６を充填した状態で駆動部６１にて第２ピストン５２及び水６６を介して第１ピストン５１を移動させて下室５４から導電性塗料６５を塗装ガン１８に供給するときに下室５４内の導電性塗料６５が所定の容量になった時点で上室５３内の水６６を下室５４内に流す弁機構６３とを備え、下室５４内から供給される水６６で導電性塗料６５を塗装ガン１８側に押し出すことを特徴とする。
【００３６】
これにより、導電性塗料６５の色替えを行うために塗料供給経路３６を洗浄する場合に、廃棄される導電性塗料６５を少なくすることができ、また、洗浄時間を短縮することができて、経済性を高めることができる。
【００３７】
尚、本実施形態では、図３（ａ）〜（ｃ）に示したように、上室５３に水６６を満たすようにしたが、これに限らず、上室５３に洗浄液を満たすようにしてもよい。これにより、洗浄液で導電性塗料を押し出すときに、塗料供給路を洗浄することができ、洗浄時間を短縮することができる。
【産業上の利用可能性】
【００３８】
本発明の静電塗装装置は、自動車の静電塗装に好適である。
【図面の簡単な説明】
【００３９】
【図１】本発明に係る静電塗装装置の説明図である。
【図２】本発明に係る中間貯留槽の断面図である。
【図３】本発明に係る静電塗装装置の作用を示す第１作用図である。
【図４】本発明に係る静電塗装装置の作用を示す第２作用図である。
【図５】本発明に係る静電塗装装置の作用を示す第３作用図である。
【図６】本発明に係る静電塗装装置の作用を示す第４作用図である。
【図７】従来の静電塗装装置の説明図である。
【符号の説明】
【００４０】
１０…静電塗装装置、１１…塗料供給部、１４…貯留部（中間貯留槽）、１８…塗装ガン、３６…塗料供給路、４０…シリンダ、５１…第１ピストン、５２…第２ピストン、５３…第２室（上室）、５４…第１室（下室）、５８…ピストンロッド、６１…駆動部、６３…弁機構、６５…導電性塗料、６６…水。
【図１】
2008168233.tif 000003
【図２】
2008168233.tif 000004
【図３】
2008168233.tif 000005
【図４】
2008168233.tif 000006
【図５】
2008168233.tif 000007
【図６】
2008168233.tif 000008
【図７】
2008168233.tif 000009